(57)【要約】【課題】外刃が強い外力を受けて曲げ変形したり、ねじれ変形したりするのを解消し、以て、内刃を外刃に対して確実に密着させることにより、常に良好な切れ味を発揮できる第２切断刃を備えた電気かみそりを提供する。【解決手段】かみそりヘッド５に、長毛などを粗剃りする第２切断刃１２を設ける。第２切断刃１２は、スリット刃からなる外刃４４と、内刃４５と、左右一対の刃受ピース４６と、内刃４５に固定される受動ピース４２と、内刃４５を密着付勢するばね４７とを含む。左右の刃受ピース４６の前後面には、外刃４４の変形を規制するための補強枠４８を橋絡状に固定して、外刃４４、刃受ピース４６および補強枠４８の結合体の構造強度を向上して、外刃４４の変形を防止する。ばね４７は補強枠４７と一体に形成する。【選択図】図１
2006247145.tif 000002
【特許請求の範囲】
【請求項１】
かみそりヘッド（５）に、長毛やくせ毛などを粗剃りするための第２切断刃（１２）を備えている電気かみそりであって、
第２切断刃（１２）は、かみそりヘッド（５）の外面に配置される外刃（４４）と、外刃（４４）の内面に沿って摺接駆動される内刃（４５）と、外刃（４４）の両側内面に固定される一対の刃受ピース（４６）と、内刃（４５）の内面中央に固定される受動ピース（４２）と、内刃（４５）を外刃（４４）に密着付勢するばね（４７）とを備えており、
刃受ピース（４６）の前後面の少なくとも一側に、両刃受ピース（４６）を橋絡して、外刃（４４）の変形を規制する補強枠（４８）が装着されている電気かみそり。
【請求項２】
内刃（４５）を密着付勢するばね（４７）が、補強枠（４８）の一部を折り曲げて一体に形成されている請求項１記載の電気かみそり。
【請求項３】
補強枠（４７）が、刃受ピース（４６）に連結される帯板状の補強壁（６０）と、補強壁（６０）の下縁に連続して折り曲げられるばね基部（６１）と、ばね基部（６１）に連続して斜め上向きに折り曲げられるばね（４７）とを一体に備えており、
ばね（４７）の先端側を受動ピース（４２）の下面に圧接させることにより、内刃（４５）が外刃（４４）に密着付勢されている請求項２記載の電気かみそり。
【請求項４】
刃受ピース（４６）の前後面に、外刃（４４）を補強する前後一対の補強枠（４８）が装着されており、
前後の補強枠（４８）が、受動ピース（４２）の前後方向の振れを規制した状態で受動ピース（４２）を往復案内している請求項１または２または３記載の電気かみそり。
【請求項５】
前後の補強枠（４８）のそれぞれが、補強壁（６０）と、ばね基部（６１）と、ばね（４７）とを備えていて、前後で点対称状の同一部品に形成されている請求項３または４記載の電気かみそり。
【請求項６】
受動ピース（４２）を間に挟んで前後に対向する補強壁（６０）の少なくとも一方に、受動ピース（４２）の往復領域に向かって膨出する弾性壁（６８）が形成されており、
弾性壁（６８）を含む前後の補強壁（６０）で受動ピース（４２）を挟持案内して、受動ピース（４２）の前後方向の振れを規制している請求項４または５記載の電気かみそり。
【請求項７】
相対摺動する弾性壁（６８）と受動ピース（４２）との少なくともいずれか一方に、両者の摺動摩擦を低減する突起（７０）が形成されている請求項４または５または６記載の電気かみそり。
【請求項８】
左右の刃受ピース（４６）が、外刃ホルダー（１３）で上下動可能に案内支持されて、両刃受ピース（４６）と外刃ホルダー（１３）との間に配置したばね（６６）で押し上げ付勢してある請求項４から７のいずれかに記載の電気かみそり。
【請求項９】
補強枠（４８）が、上向きに開口する断面コ字状の枠体で形成されており、
内刃（４５）を密着付勢するばね（４７）が枠体の底壁左右から折り起こし形成され、両ばね（４７）の間の底壁に受動ピース（４２）用の駆動穴（７２）が開口している請求項２記載の電気かみそり。
【発明の詳細な説明】
【技術分野】
【０００１】
本発明は、メイン刃とは別に、長毛やくせ毛などを粗剃りするための第２切断刃を備えている電気かみそりに関する。
【背景技術】
【０００２】
本発明が対象とする粗剃り用の第２切断刃の基本形態は、例えば特許文献１に公知である。そこでは、外刃と、内刃と、外刃の両側内面に固定される一対の刃受ピースと、内刃の内面中央に固定される受動ピースと、内刃を外刃へ向かって密着付勢する板ばねなどで第２切断刃を構成し、これらの部品を組み付けて１個のユニット部品にしている。
【０００３】
本発明においては、補強枠を利用して前記内刃を密着付勢するばねを形成するが、このように補強枠に付勢ばねを形成することは特許文献２に公知である。但し、この場合の付勢ばねは、メイン刃の外刃を引っ張り付勢するためのばねであって、第２切断刃１２の外刃や内刃を付勢するものではない。
【０００４】
【特許文献１】特開平２００１−６２１６３号公報（段落番号００２３、図１３）
【特許文献２】特開平２００４−２４２９６６号公報（段落番号００４９、図１２）
【発明の開示】
【発明が解決しようとする課題】
【０００５】
特許文献１の電気かみそりにおいては、第２切断刃が外刃、内刃、刃受ピース、受動ピース、および板ばねなどを組み付けて１個のユニット部品にしているので、外刃ホルダーに対する第２切断刃の組み付けが簡便に行える。第２切断刃のみを外刃ホルダーから取り外して新規部品と交換することにより、交換コストを削減できる利点もある。しかし、この種の外刃は、前後幅が小さく左右横長のコ字枠状に形成されていて、両側端のみが刃受ピースで支持してあるうえ、刃面にひげ導入用のスリットの一群が形成してあるので、強い外力を受けたとき曲げ変形やねじれ変形を生じやすい。外刃の強度がスリット群によって低下するのが要因である。
【０００６】
上記のように、外刃が曲げ変形したり、ねじれ変形したりすると、内刃が外刃に対して充分に密着摺動できず、切刃の摺動面に隙間を生じ、あるいは切刃が異常に摩耗して切れ味が極端に低下する。こうした外刃の変形を防ぐために、外刃の形成素材の厚みを増やし、あるいはスリット幅を小さくすると、スリット群による構造強度の低下をある程度は抑止できる。しかし、外刃の厚みが大きいほどしなやかさが得難くなり、内刃と外刃とを充分に密着させることができなくなる。外刃を精度よく加工するのが困難になるうえ、スリット幅が小さい分だけ、ひげ導入が困難化することにもなる。
【０００７】
本発明の目的は、外刃の厚みを分厚くせずとも充分な構造強度を発揮でき、これにより外刃が強い外力を受けて曲げ変形したり、ねじれ変形したりするのを解消し、常に良好な切れ味を発揮できる第２切断刃を備えた電気かみそりを提供することにある。本発明の目的は、内刃を外刃に対して確実に密着させ、さらに往復動力で駆動されるときの内刃の前後遊動を規制して、常に好適なひげ切断を行える第２切断刃を備えた電気かみそりを提供することにある。
【課題を解決するための手段】
【０００８】
本発明の電気かみそりは、かみそりヘッド５に、長毛やくせ毛などを粗剃りするための第２切断刃１２を備えている。第２切断刃１２は、かみそりヘッド５の外面に配置される外刃４４と、外刃４４の内面に沿って摺接駆動される内刃４５と、外刃４４の両側内面に固定される一対の刃受ピース４６と、内刃４５の内面中央に固定される受動ピース４２と、内刃４５を外刃４４に密着付勢するばね４７とを備えている。以て、刃受ピース４６の前後面の少なくとも一側に、両刃受ピース４６を橋絡して、外刃４４の変形を規制する補強枠４８が装着されていることを特徴とする。
【０００９】
内刃４５を密着付勢するばね４７は、図５に示すように、補強枠４８の一部を折り曲げて一体に形成することができる。
【００１０】
補強枠４７は、刃受ピース４６に連結される帯板状の補強壁６０と、補強壁６０の下縁に連続して折り曲げられるばね基部６１と、ばね基部６１に連続して斜め上向きに折り曲げられるばね４７とを一体に備えており、ばね４７の先端側を受動ピース４２の下面に圧接させることにより、内刃４５を外刃４４に密着付勢している。
【００１１】
刃受ピース４６の前後面には、外刃４４を補強する前後一対の補強枠４８を装着し、前後の補強枠４８で受動ピース４２の前後方向の振れを規制した状態で受動ピース４２を往復案内することができる。
【００１２】
前後の補強枠４８は、それぞれ補強壁６０と、ばね基部６１と、ばね４７とを備えていて、前後で点対称状の同一部品に形成することができる。
【００１３】
受動ピース４２を間に挟んで前後に対向する補強壁６０の少なくとも一方には、受動ピース４２の往復領域に向かって膨出する弾性壁６８を形成し、弾性壁６８を含む前後の補強壁６０で受動ピース４２を挟持案内して、受動ピース４２の前後方向の振れを規制することができる。
【００１４】
相対摺動する弾性壁６８と受動ピース４２との少なくともいずれか一方には、両者の摺動摩擦を低減する突起７０を形成することができる。
【００１５】
左右の刃受ピース４６は、外刃ホルダー１３で上下動可能に案内支持して、両刃受ピース４６と外刃ホルダー１３との間に配置したばね６６で押し上げ付勢することができる。
【００１６】
補強枠４８は、上向きに開口する断面コ字状の枠体で形成し、内刃４５を密着付勢するためのばね４７を枠体の底壁左右から折り起こし形成し、両ばね４７の間の底壁に受動ピース４２用の駆動穴７２を開口することができる。
【発明の効果】
【００１７】
本発明では、外刃４４と、内刃４５と、左右一対の刃受ピース４６と、内刃４５に固定される受動ピース４２と、内刃４５を密着付勢するばね４７などで第２切断刃２を構成し、刃受ピース４６の前後面の少なくとも一側に補強枠４８を橋絡固定した。このように、左右の刃受ピース４６が補強枠４８で連結固定されていると、補強枠４８を付加した分だけ外刃４４、刃受ピース４６、補強枠４８の結合体の構造強度を増強できる。したがって外刃４４に強い外力が作用するような場合でも、外刃４４が曲げ変形したりねじれ変形したりするのを確実に防止できる。
【００１８】
これにより、内刃４５が外刃４４に対して確実に密着し、常に良好な切れ味を発揮できる第２切断刃１２を備えた電気かみそりが得られる。外刃４４の厚みを分厚くする必要もなく、先の結合体の構造強度が増強し、あるいは外刃４４により広幅のスリット５０を形成して切刃部分への毛導入を確実化できる利点もある。
【００１９】
内刃４５を密着付勢するためのばね４７が補強枠４８の一部を折り曲げて一体に形成されていると、独立部品からなるばねを設ける場合に比べて、部品点数の削減化を図れ、別体のばねを補強枠４８に装着するための構造や、別体のばねを組み込むための手間も省けるので、全体として第２切断刃１２の製造に要するコストを削減できる。
【００２０】
上記のように、ばね４７が枠の一部を折り曲げて一体に形成されている補強枠４７において、帯板状の補強壁６０の下縁に連続してばね基部６１を折り曲げ、さらにばね基部６１に連続してばね４７を斜め上向きに折り曲げ形成してあると、ばね４７が補強枠４８の上部側に設けてある場合に比べて、ばね腕の長さが大きく、しなやかなばね４７を形成できる。したがって、内刃４５を安定した状態で外刃４４に密着付勢して、第２切断刃１２の切れ味を長期にわたって維持できる。
【００２１】
刃受ピース４６の前後面に装着した補強枠４８で受動ピース４２を往復案内すると、受動ピース４２が前後方向へ振れるのを補強枠４８で規制できるので、往復駆動される内刃４５を常に適正に外刃４４に密着させて、第２切断刃１２によるひげ切断を常に好適に行うことができる。
【００２２】
前後の補強枠４８が、補強壁６０と、ばね基部６１と、ばね４７とを含んで、前後で点対称状の同一部品に形成されていると、補強枠４８を前後で共用できる分だけ第２切断刃１２を低コストで製造できるうえ、組み付け時に前後の補強枠４８を間違える余地がなく、適正な組み立てを行える。補強枠４８の構造が簡素であるので、その分だけ補強枠４８を少ない加工工数で容易に形成できる利点もある。
【００２３】
前後に対向する補強枠４８の補強壁６０の少なくとも一方に、受動ピース４２の往復領域に向かって膨出する弾性壁６８を形成しておき、弾性壁６８を含む前後の補強壁６０で受動ピース４２を挟持案内すると、前後の補強壁６０が受動ピース４２に密着する状態で同ピース４２の前後振れを規制できるので、内刃４５をさらに確実に外刃４４に密着させて、第２切断刃１２によるひげ切断をさらに好適化できる。
【００２４】
弾性壁６８と受動ピース４２との少なくともいずれか一方に突起７０が形成されていると、相対摺動する両者４２・６８の摺動摩擦を低減して、内刃４５の往復駆動を円滑に行える。摺動摩擦を低減できる分だけ、モーター８の動力損を減少できる利点もある。
【００２５】
左右の刃受ピース４６は外刃ホルダー１３で上下動可能に案内支持し、さらに両刃受ピース４６と外刃ホルダー１３との間に配置したばね６６で刃受ピース４６を押し上げ付勢してあると、第２切断刃１２の全体を上下浮動可能に支持して、その肌当りをソフトなものにできるうえ、外刃４４を肌面の変化に追随して左右傾動させ、ひげ切断をさらに効果的に行うことができる。
【００２６】
上向きに開口する断面コ字状の枠体で形成した補強枠４８によれば、外刃４４を前後一対の補強枠４８で補強する場合に比べて、外刃４４の補強構造に要する部品点数を削減できるうえ、補強枠４８これ自体の剛性を向上して、さらに効果的に外刃４４を補強し、外刃４４の曲げ変形やねじれ変形を確実に防止できる。ばね４７が枠体の底壁左右から折り起こし形成されていると、ばね４７が補強枠４８と一体化してある利点も継承できる。
【発明を実施するための最良の形態】
【００２７】
図１ないし図７は本発明に係る電気かみそりの実施例を示す。図２および図３において電気かみそりは、本体ケース１と、本体ケース１に組み付けられる作動ユニットとで構成されている。本体ケース１の前面にはスイッチパネル２が設けられ、その上下にモーター起動用のスイッチノブ３と、電気かみそりの運転状態を表示するための表示灯４などを設けてある。本体ケース１の後面側には、図外のきわぞり刃ユニットを設けてある。
【００２８】
作動ユニットは、下半側を占める電装品ユニットと、その上部に設けられるかみそりヘッド５とで構成してある。電装品ユニットは、電装品ホルダーに、回路基板と、モーター８と、２次電池９などを組み付けて構成する。回路基板には、前記スイッチノブ３で切り換え操作されるスイッチや、制御回路を構成する電子部品、およびＬＥＤなどが実装される。モーター８を含む電装品ユニットは、本体ケース１内に収容されて密封される。
【００２９】
かみそりヘッド５には、前後一対のメイン刃１１と、一対のメイン刃１１間に配置される第２切断刃１２と、これらを駆動する駆動機構などが組み込まれる。メイン刃１１が比較的短いひげを剃ることを目的としているのに対し、第２切断刃１２は長毛やくせ毛などを粗剃りするために設けてある。
【００３０】
メイン刃１１は、外刃ホルダー１３と、外刃ホルダー１３で上下浮動可能に支持される一対の外刃カセット１４と、外刃カセット１４の内面に沿って摺接駆動される内刃ユニット１５などで構成する。図４において外刃ホルダー１３は、内ケース１８と、内ケース１８を支持する外ケース１９とで構成してあり、内ケース１８に前後一対の外刃カセット１４と、第２切断刃１２とが組み付けられる。
【００３１】
内ケース１８は、上下面が開口する角枠状のプラスチック成形品であり、その下開口面の前後中央に補強枠２１を一体に設け、その左右中央に後述する駆動軸４１用の通口２２が上下貫通状に形成してある。補強枠２１の前後面には、先の外刃カセット１４を下向きに移動付勢するばね腕２３が一体に形成してある。
【００３２】
外ケース１９は、上下面が開口する角枠状のプラスチック成形品である。内ケース１８を外ケース１９の内面に上方から差し込んで、各ケース１８・１９の側壁に設けた突起と凹部とを係合することにより、両ケース１８・１９を一体化できる。外ケース１９は、かみそりヘッド５のヘッドケース１６に外嵌装着されて、ヘッドケース１６の左右に組み込んだロック爪２５で係合捕捉することにより、装着状態を維持できる。
【００３３】
ロック爪２５はロック解除ボタン２６と一体に形成してあり、圧縮コイル型のロックばね２７（図１参照）でロック付勢されて、外ケース１９の側壁内面に設けたロック凹部２８と係合する。ロック解除ボタン２６をロックばね２７の付勢力に抗して押し込み操作すると、ロック爪２５とロック凹部２８との係合状態を解除できるので、外刃ホルダー１３をヘッドケース１６から取り外すことができる。
【００３４】
外刃カセット１４は、シート状の網刃からなる外刃３１を外刃フレーム３２でアーチ形状に保形して構成してある。外刃３１は、エッチング法、あるいは電鋳法によって形成する。外刃フレーム３２は、前記内ケース１３で上下動可能に、しかし抜け出しは不能に案内支持されており、その左右両側に掛け止め連結したばね腕２３で押し下げ付勢されている。
【００３５】
内刃ユニット１５は、スリット刃として形成された内刃３４と、内刃３４を支持する内刃フレーム３５とからなる。内刃３４はエッチング法で形成したシート状の内刃ブランクに、プレス加工を施して形成してあり、アーチ形状を自己保持できる点が先の外刃３１とは異なる。内刃フレーム３５の下部には、振動子３６の駆動軸３７に係合連結される受動片３８を一体に設けてある。
【００３６】
内刃ユニット１５は、駆動軸３７と受動片３７との間に介装した圧縮コイル形のばね４０で押し上げ付勢される。このばね４０の付勢力は、先のばね腕２３の付勢力より充分に大きく設定してある。したがって、内刃ユニット１５が駆動軸３７で上下動自在に、しかも左右傾動可能に支持されているにもかかわらず、内刃３４を外刃３１の内面に常に密着させることができる。
【００３７】
振動子３６は、モーター８の回転動力を往復動作に変換したのち、駆動軸３７を介して内刃ユニット１５に伝える。駆動軸３７は、図３に示すごとく各内刃ユニット１５に対応して設けてあるが、その一方に内刃４５を駆動する別の駆動ピース４１が固定されている。駆動ピース４１は、内ケース１８の補強枠２１に設けた通口２２内において、後述する内刃４５の受動ピース４２と係合する。
【００３８】
図５および図６において第２切断刃（センター刃）１２は、外刃４４と、外刃４４の内面に沿って長手方向へ摺接駆動される内刃４５と、これら両刃４４・４５を支持する左右一対の刃受ピース４６と、内刃４５を押し上げ付勢する左右一対のばね４７と、刃受ピース４６の前後面に装着される前後一対の補強枠４８などで、１個のユニット部品として構成する。
【００３９】
外刃４４は、エッチング法で形成したシート状の刃ブランクにプレス加工を施して断面逆Ｕ字状に形成したスリット刃からなる。外刃４４の上部曲面には、ひげ導入用のスリット５０と、刃リブ５１とが交互に形成されている。各刃リブ５１の内面周縁には、ひげ切断のための切刃が形成されている。
【００４０】
内刃４５は、外刃４４と同様に形成されたスリット刃からなり、その上部曲面にスリット５２と刃リブ５３とを交互に形成する。ひげ切断のための切刃は、刃リブ５３の外面周縁に形成する。内刃４５の内面の左右中央部には、駆動ピース４１と係合する受動ピース４２を固定してある。
【００４１】
図５において刃受ピース４６は、Ｌ字状の装着座５５と、装着座５５の上面に形成された断面半円状のガイド部５６と、装着座５５の外側面に形成された係合脚５７とを一体に備えたプラスチック成形品である。左右の刃受ピース４６のガイド部５６を内刃４５の両端内面に差し込み装着した状態で、外刃４４を装着座５５に上方から被せ付け、装着座５５に設けた固定ピン５８を溶融変形させることにより、外刃４４と左右の刃受ピース４６とは一体化できる。この状態における内刃４５は、刃受ピース４６のガイド部５６で左右スライド自在に案内支持される。
【００４２】
外刃４４の変形を規制して、内刃４５と外刃４４との密着度を向上するために補強枠４８を有する。補強枠４８は、ステンレス板材を素材とするプレス成形品であり、内刃４５を押し上げ付勢するばね４７が一体に形成されている。詳しくは、刃受ピース４６に連結された帯板状の補強壁６０と、補強壁６０の一側下縁に連続して折り曲げられたばね基部６１と、ばね基部６１に連続して斜め上向きに折り曲げられるばね４７とを一体に備えている。受動ピース４２との摺動を円滑化するために、ばね４７の先端はへ字状に折り曲げてある。補強壁６０の両端と、ばね基部６１には、それぞれ２個の溶着穴６２を形成してある（図５参照）。
【００４３】
装着座５５の前後壁に補強壁６０の両端をあてがい、さらにばね基部６１を装着座５５の下面にあてがって、前後壁および下面に突設した固定ピン６３に溶着穴６２を係合したうえで、各固定ピン６３の端部を溶融変形させることにより、左右の刃受けピース４６と前後の補強枠４８とを分離不能に一体化できる。このように、刃受けピース４６を補強枠４８で橋絡固定すると、左右の刃受ピース４６を外刃４４および前後の補強枠４８の三者で強固に連結できるので、外刃４４に強い外力が作用する場合でも、外刃４４の曲げ変形やねじれ変形などを確実に防止できる。この組み付け状態において、ばね４７は内刃４５を押し上げ付勢して外刃４４に密着している。
【００４４】
往復駆動される内刃４５および受動ピース４２をより安定した状態で案内支持するために、先の補強壁６０を利用して受動ピース４２を前後に挟持している。詳しくは、図７の想像線で示すように、前後の補強壁６０のそれぞれは、受動ピース４２の往復領域に向かって膨出する弾性壁６８を有し、弾性壁６８を含む前後の補強壁６０で受動ピース４２を挟持案内することにより、受動ピース４２の前後方向の振れを規制している。さらに受動ピース４２の弾性壁６８との摺動面の左右に半球状の突起７０を設け、受動ピース４２と弾性壁６８との摺動摩擦を低減できるようにしている。
【００４５】
ユニット部品化された第２切断刃１２は、内ケース１８で上下浮動可能に支持される。詳しくは、内ケース１８の前後中央部分に刃受ピース４６を上方から差し込み、図６に示すようにその係合脚５７を内ケース１８の両側壁に通設したガイド溝６５と係合させることにより、第２切断刃１２の全体が内ケース１８で上下動自在に案内支持される。さらに、係合脚５７の下端と補強枠２１との間に圧縮コイル形のばね６６を配置し、このばね６６で第２切断刃１２の全体を押し上げ付勢して浮動可能としている。
【００４６】
図８は補強枠４８の別実施例を示す。そこでは、補強枠４８が上向きに開口する断面コ字状の枠体で形成されて、部品点数を削減し、さらに補強枠４８これ自体の構造強度を向上できるようにした。内刃４５を密着付勢するばね４７は、枠体の底壁左右から折り起こし形成し、両ばね４７間の底壁に受動ピース４２用の駆動穴７２を開口する。駆動穴７２の左右に隣接して、補強用のリブ壁７３が形成してある。他は先の実施例と同じであるので、同じ部材には同じ符号を付してその説明を省略する。
【００４７】
上記の実施例以外に、補強枠４８は刃受ピース４６の前後面のいずれか一方に限って設けることができる。必要があれば、補強枠４８をアングル状に形成することができ、ばね４７は補強枠４８とは別の独立部品で形成することができる。プラスチック成形品で補強枠４８を形成してもよい。
【００４８】
１個のメイン刃１１の前後いずれか一側に第２切断刃１２が配置してある電気かみそりにも適用できる。外刃４４はスリット刃にする以外に、網刃で形成してあってもよい。内刃４５は、一群の小刃で形成することができる。メイン刃１１の内刃３４はロータリー刃で形成してもよい。
【図面の簡単な説明】
【００４９】
【図１】かみそりヘッドの縦断正面図である。
【図２】電気かみそりの正面図である。
【図３】かみそりヘッドの縦断側面図である。
【図４】メイン刃およびセンター刃の分解斜視図である。
【図５】センター刃の分解斜視図である。
【図６】センター刃を分離した状態のかみそりヘッドの縦断正面図である。
【図７】図６におけるＡ−Ａ線断面図である。
【図８】補強枠の別実施例を示す断面図である。
【符号の説明】
【００５０】
５  かみそりヘッド
１２  第２切断刃
４２  受動ピース
４４  外刃
４５  内刃
４６  刃受ピース
４７  ばね
４８  補強枠
６０  補強壁
６１  ばね基部
６８  弾性壁
７０  突起
７２  駆動穴
【図１】
2006247145.tif 000003
【図２】
2006247145.tif 000004
【図３】
2006247145.tif 000005
【図４】
2006247145.tif 000006
【図５】
2006247145.tif 000007
【図６】
2006247145.tif 000008
【図７】
2006247145.tif 000009
【図８】
2006247145.tif 000010